(57)【要約】【課題】フレームによって形成された囲まれた空間内に取り付けられた交差した一連のコードを有する人体支持構造体を提供すること。【解決手段】前記コードには、長手方向軸を有する複数のピンが前記コードに垂直に取り付けられている。隣接するピンの間には、一のコードに取り付けられたスペーサが配置されている。前記コードは、緊張した状態でフレームに取り付けられ、わずかに伸縮する。人体は、ピンの上部表面に載置され支持されれる。【選択図】　　　　図４
2004073332.tif 000002
【特許請求の範囲】
【請求項１】
以下の構成を有する人体支持構造体。
（イ）囲まれた空間を形成するフレームを有すること。
（ロ）前記フレームに取り付けられる複数の第１のコードを有し、前記第１のコードは間隔をおいて配置され、緊張した状態で、前記囲まれた空間を略平行に横断するように延伸していること。
（ハ）前記第１のコードに取り付けられる複数のピンを有し、前記ピンは細長く、長手方向に中心軸を有し、前記第１のコードは、前記ピンが前記第１のコードに間隔をおいて配置されるように、各ピンを横断して貫通すること。
（ニ）前記フレームに取り付けられる複数の第２のコードを有し、前記第２のコードは、間隔をおいて配置され、緊張した状態で、前記囲まれた空間を略平行に横断するように延伸し、前記第２のコードは、間隔をおいて前記複数のピンを貫通し、前記第１のコードに対し略直交するよう配置されていること。
（ホ）前記第１のコードと前記第２のコードに取り付けられる複数のスペーサを有し、前記スペーサは、前記第１のコード又は前記第２のコードの何れか一方に配置され、前記スペーサは、隣接するピンの間に配置され、前記ピンが略一定の間隔を保つように機能すること。
（ヘ）前記人体支持構造体は、人体が前記ピンに対向して位置し、前記ピンが人体の外形に順応して湾曲した状態で前記ピンによって支持され、前記ピンの前記長手方向の中心軸は人体に対し略垂直に配置されるものであること。
【請求項２】
前記第１のコード及び前記第２のコードは伸縮可能である請求項１記載の人体支持構造体。
【請求項３】
前記スペーサは、前記第１のコード又は前記第２のコードが貫通するスリーブからなる請求項１記載の人体支持構造体。
【請求項４】
前記ピンは、丸みが付けられた上端を有し、前記ピンの前記上端は、人体と接触し、前記上端は丸み付けられているため、人体にとって鋭利感がなく快適に接触するよう調整された請求項１記載の人体支持構造体。
【請求項５】
前記フレームに取り付けられる複数の第３のコードを有し、前記第３のコードは、緊張した状態で略平行に間隔をおいて前記囲まれた空間を横切って延伸し、前記第３のコードは、前記第１のコードに対しても平行であり、複数の前記ピンを貫通し、前記ピンを貫通する前記第１のコードから間隔をおいて配置されている請求項１記載の人体支持構造体。
【請求項６】
前記フレームに取り付けられる複数の第４のコードを有し、前記第４のコードは、緊張した状態で略平行に間隔をおいて前記囲まれた空間を横切って延伸し、前記第２のコードと実質的に同一の構造であり、前記第４のコードは、前記第２のコードと平行に位置し、前記ピンを貫通し、前記第１のコード、前記第２のコード及び前記第３のコードから間隔をおいて配置されている請求項５記載の人体支持構造体。
【請求項７】
前記ピンにおける前記第１のコードと前記第３のコードとの間の距離は、約３１．７５ｍｍである請求項５記載の人体支持構造体。
【請求項８】
前記ピンにおける前記第２のコードと前記第４のコードとの間の距離は、約３１．７５ｍｍである請求項６記載の人体支持構造体。
【請求項９】
前記ピンとそれに連結される前記スペーサとの間には相互固定機構がある請求項１記載の人体支持構造体。
【請求項１０】
以下の構成を有する人体支持構造体。
（イ）囲まれた空間を形成するフレームと、前記囲まれた空間を横切って導通し、複数のピンが略平行に取り付けられる複数のコードを有すること。
（ロ）前記人体支持構造体において、人体は前記ピンに対向して位置し、前記ピンが人体の外形に順応して湾曲した状態で前記ピンによって支持され、前記ピンの前記長手方向の中心軸は人体に対し略垂直に配置されるものであること。
【請求項１１】
前記コードは伸縮可能である請求項１０記載の人体支持構造体。
【請求項１２】
隣接するピンの間に別個のスペーサが配置された状態で前記コードにスペーサが取り付けられ、前記スペーサは、前記ピン間の距離を略一定に保つように機能する請求項１０記載の人体支持構造体。
【請求項１３】
前記ピンは、人体と接触する上端を有し、前記上端は、人体と接触した際に鋭利感がなく快適な表面を提供するために滑らかな形状を有する請求項１０記載の人体支持構造体。
【請求項１４】
前記ピンとそれに連結される前記スペーサとの間には相互固定機構がある請求項１０記載の人体支持構造体。
【発明の詳細な説明】
【０００１】
【発明の属する技術分野】
本発明は、包括的に、人体用の座席及びリクライニング構造に関し、特に、かかる座席及びリクライニング装置に含まれる支持構造に関する。
【０００２】
【従来の技術】
人体用の座席及びリクライニング構造は長い間知られている。椅子、ソファー及びリクライナーは、通常、平坦な表面を有しており、その平坦な表面にクッションが置かれる。表面を帯状の織物で構成することも知られており、これらの帯状の織物は交差し、丈夫な枠体によって支持されている。帯状の織物の上には、通常クッションが置かれる。
【０００３】
硬い表面を有する椅子又はリクライナーの共通の欠点は、空気の循環がないことである。暑く湿気を帯びた環境にある場合や、気温が高い日には、そのような椅子又はリクライナーは、空気の循環がないために使用者を汗ばませる。また、硬い表面の椅子又はリクライナーは、体の外形になじまず、体の外形を椅子又はリクライナーの形状に合わせなければならない。本来、これは不快なことである。椅子、ソファー、又はリクライナーが人体の外形にフィットするよう湾曲すれば、ずっと快適なことである。
【０００４】
【発明が解決しようとする課題】
本発明の主要な目的は、従来の椅子、ソファー又はリクライナーに用いられる人体支持構造体を形成することである。本発明の人体支持構造体は、空気循環を提供し、支持表面が人体に順応するように湾曲することによって、人体を快適に支持する。また、本発明の他の特徴は、人が、椅子、ソファー又はリクライナーに座っているか、又はもたれかかっている間、人体支持構造体が人体を押圧することである。
【０００５】
【課題を解決するための手段】
本発明の第１の主要な実施形態は、囲まれた空間を形成するフレームを備えている。複数の第１のコードが、前記囲まれた空間を横切って延伸し、緊張した状態でフレームに取り付けられる。前記第１のコードは、互いに略平行に配置される。長手方向に中心軸を有する細長い複数のピンが、第１のコードのそれぞれに取り付けられる。第１のコードは、それぞれのピンが、それぞれのコード上に間隔をおいて配置されるように、それぞれのピンを横方向に貫通している。複数の第２のコードも又緊張した状態でフレームに取り付けられる。これらの第２のコードも又相互に平行になるようにしてピンを導通している。第２のコードは、第１のコードに略直交している。
【０００６】
複数のスペーサが、第１のコードと第２のコードの両方に取り付けられ、各スペーサは、第１のコード又は第２のコードのみに取り付けられる。各スペーサは、隣接する一対のピンの間に配置され、前記スペーサは、ピンの間隔を略一定に保つように機能する。人体は、体重のために湾曲を許容するコードによって最初の位置から湾曲した状態にあるピンにより支持される。各ピンの長手方向の中心軸は、人体に対して略垂直に配置される。
【０００７】
本発明の他の実施形態は、第１の主要な実施形態が、コードが伸縮可能であるということにより変更されているものである。
【０００８】
本発明の他の実施形態は、第１の主要な実施形態で、前記スペーサが、第１又は第２のコードのいずれかが各スリーブを貫通するものとして形成されていることにより変更されているものである。
【０００９】
本発明の他の実施形態は、第１の主要な実施形態が、それぞれのピンの上部表面が丸みを帯びていることにより変更されているものである。
【００１０】
本発明の他の実施形態は、第１の主要な実施形態が、第１のコードに対して平行であるが、間隔をおいて配置されている第３のコードを含んでいることにより変更されているものである。
【００１１】
本発明の他の実施形態は、第１の主要な実施形態が、同様にピンに取り付けられ、第２のコードに平行であるがそこから間隔を置かれて配置される一連の第４のコードを含んでいるということにより変更されているものである。
【００１２】
本発明の第２の主要な実施形態は、囲まれた空間を形成するフレームを備えた人体支持構造体を規定する。囲まれた空間内及びフレームには、相互に平行に配設された複数のピンが取り付けられた交差した一連のコードが取り付けられている。ピンの上部表面は、人体用の支持構造を提供する。
【００１３】
本発明の他の実施形態は、第２の主要な実施形態が、コードが伸縮可能であることにより変更されたものである。
【００１４】
本発明の他の実施形態は、第２の主要な実施形態が、それぞれのコードにスペーサーが取り付けられており、スペーサーは隣接するピンの間にそれぞれ一個ずつ配置されていることにより変更されたものである。
【００１５】
本発明の他の実施形態は、第２の主要な実施形態が、使用者の体に直接接触するピンの表面であるピンの上端が丸みを帯びているということにより変更されたものである。
【００１６】
本発明のよりよい理解のために、添付図面を参照されたい。本発明は、図面に示された詳細な構成に限定されるものではない。
【００１７】
【発明の実施の形態】
図面を参照すると、図１には椅子１０が示されている。椅子１０は、座部１２及び背部１４を有する。左側部１６及び右側部１８が、座部１２及び背部１４の両側に位置付けられ、ともに座部フレーム２０及び背部フレーム２２を連結している。図１を見ると、背部１４は、座部１２に略直角に位置していることがわかるであろう。図１には椅子１０が示されているが、本発明の主題は、リクライナー、オットマン、ソファー、長椅子、ハンモック及び人を座らせたり、もたれさせたりするために設計された他のタイプの人体支持構造体を提供することにある。本発明の構造は、アウトドア用家具、家庭用家具、及びオフィス用家具の構造に特に有用である。座部フレーム２０は、囲まれた空間２４を包囲する強固な構造で構成する。同様に囲まれた空間２４が、背部フレーム２２によって形成される。囲まれたそれぞれの空間２４内に含まれるのが本発明の人体支持構造体２６である。
【００１８】
座部フレーム２０又は背部フレーム２２の部材間に一連の第１のコード２８が取り付けられる。第１のコード２８は、わずかに伸縮可能であり、直径が小さく（約３．１７５ｍｍ（約８分の１インチ）以下）、弦に似ている。第１のコード２８のそれぞれは、各座部フレーム２０又は背部フレーム２２に緊張した状態で取り付けられている。第１のコード２８のそれぞれは、均一な間隔で配置されている。第１のコード２８の数は、所望により増減することができる。たまたま選択された数は１８である。第１のコード２８の各々は、ピン３０に形成されている穴を貫通している。第１のコード２８の各々に取り付けられているピン３０の数は、実際には１２個であり、左側部１６及び右側部１８間に配置されている第１のコード２８の数は１８本であるので、総計２１６個のピン３０があることになる。座部１２及び背部１４の双方に、２１６本のピン３０が配置されていることになる。しかしながら、リクライナー、ソファー、ハンモック、又は長椅子（寝椅子）では、より多い数のピン３０があることはほぼ疑いないことが理解される。
【００１９】
左側部１６と右側部１８との間には、複数の第２のコード３２が取り付けられている。第２のコード３２は、第１のコード２８と全て同じものである。第２のコード３２は、第１のコード２８に対して直交して位置している。第２のコード３２も又一連のピン３０を貫通しているが、図１に示す本発明の実地形態において、第１のコード２８が１２個のピン３０を貫通するのに対し、第２のコード３２は１８個のピン３０を通ることが理解される。
【００２０】
第３のコード３４の数もまた１８である。第３のコード３４は、それぞれ第１のコード２８に対し平行に配置される。第３のコード３４は、それぞれ第１のコード２８から約３１．７５ｍｍ（約１．２５インチ）離れている。第３のコード３４もまた、ピン３０のそれぞれの穴を貫通しており、第３のコード３４は、それぞれ１２個のピン３０を通ることが理解される。
【００２１】
それぞれのピン３０の穴を貫通する第４のコード３６が取り付けられており、この第４のコード３６もまた、構成において第１のコード２８と同一である。第４のコード３６は、相互に平行に配置され、第２のコード３２に対して平行に配置され、それぞれ第２のコード３２から約３１．７５ｍｍ（約１．２５インチ）離れている。第４のコード３６は又、それぞれ１８個のピン３０を通ることになる。
【００２２】
ピン３０は、それぞれ丸みが付けられた上端３８を有する。人体支持構造体２６に着座している人がいない場合、ピン３０は、図２の示す位置にあり、丸みが付けられた上端３８はすべて平面４０に配置されている。しかしながら、丸みが付けられた上端３８に人体が置かれると、一連のピン３０全てが、図３において示す通り、人体を示す線４２のように湾曲する。ピン３０の湾曲は、コード２８、３２、３４、及び３６が伸長することによって可能となるであろう。ピン３０間の間隔は、スペーサ４４を用いることによって略一定に保持される。各スペーサ４４は、スリーブを形成し、コード２８、３２、３４、及び３６のそれぞれは、一連のスペーサ４４を貫通し、隣接する対となるピン３０間に１つのスペーサ４４がある。スペーサ４４の機能は、ピン３０を約９．５２５ｍｍ（約８分の３インチ）〜約１２．７ｍｍ（約２分の１インチ）の間隔に保つことである。スペーサ４４は、ピン３０とは別個の部分として示されている。しかしながら、スペーサ４４をピン３０の一部として構成することは本発明の範囲内である。
【００２３】
図３に示すように、ピン３０の丸みが付けられた上端３８に体重がかけられた時、ピン３０自体は湾曲しないことを理解されたい。各ピン３０は同じ大きさのままである。ピン３０は、人体支持構造体２６内で湾曲し、この湾曲は、コード２８、３２、３４、及び３６が伸長することによって可能となる。
【００２４】
図３に示されるように、丸みが付けられた上端３８に体重がかけられると、ピン３０は、各ピン３０の長手方向の中心軸４６が、線４２によって示される人体表面に対し略垂直に位置するように回動する。使用者にとってこれが最も快適であるので、垂直になることが望ましい。又、ピン３０は、使用者に対する指圧作用があり、筋肉の苦痛を和らげるのに役立ついう点で治療効果がある。
【００２５】
各ピン３０は、４つの異なるコード２８、３２、３４、及び３６で支持されているので、ピン３０のそれぞれは、重みが平面４０にかけられると、表面４２に関して垂直な関係を保つために撚れるように作用する。４つの異なるコードを用いなければ、ピン３０のそれぞれの撚れを達成することは困難である。各スペーサ４４の長さは、選択の問題である。しかしながら、多くの場合、スペーサ４４は、６．３５ｍｍ（４分の１（０．２５）インチ）〜１２．７ｍｍ（２分の１（０．５）インチ）の長さである。
【００２６】
図５及び図６には、ピン４８とスペーサ５０の構造を変更した形態が示されている。各ピン４８は、個々のピン４８の側壁から突出する複数のボス５２を有する。各ボス５２は、ピン４８内に形成された穴５４に位置する。各ピン４８は、８個のボス５２を有する。各スペーサ５０は、貫通孔５６を有する。面取り縁５８は、各ボス５２の内部に形成された環状傾斜表面６０と嵌合させるためのものである。図１〜図４に対する図５、図６におけるピン及びスペーサ間の構造上の変更は、ピン４８及びスペーサ５０が面取り縁５８と環状の傾斜表面６０とによって相互に連結される点であるが、図１〜図４では、そのような連結はなく、単に隣接する関係になっているにすぎない。図５、図６では、第１のコード２８、第２のコード３２、第３のコード３４、及び第４のコード３６は、図１〜図４において先に説明したのと同じ様に用いられる。
【００２７】
ピン４８のそれぞれは、図１〜図４よりも少しだけ平坦な滑らかに形成された端部６２を有する。端部６２は、丸み付けられた上端３８よりもわずかに大きい平坦な接触領域を提供するので、使用者にとってより快適である。
【図面の簡単な説明】
【図１】本発明の人体支持構造体が組み込まれた椅子の等角図である。
【図２】本発明の人体支持構造体の、人体と接触していない静止位置にある支持構造を示す図１の線２−２の長手方向断面図である。
【図３】図２と同様の図であるが、人体と接触している位置にある人体支持構造体を示す図である。
【図４】構造を構成する部材をより詳細に示す人体支持構造体の一部分の分解図である。
【図５】ピン及びスペーサの構成の変形形態を示す側面図である。
【図６】図５の線６−６の断面図である。
【符号の説明】
１０　椅子
１２　座部
１４　背部
１６　左側部
１８　右側部
２０　座部フレーム
２２　背部フレーム
２４　空間
２６　人体支持構造体
２８　第１のコード
３０　ピン
３２　第２のコード
３４　第３のコード
３６　第４のコード
３８　上端
４０　平面
４２　表面（線）
４４　スペーサ
４６　中心軸
４８　ピン
５０　スペーサ
５２　ボス
５４　穴
５６　貫通孔
５８　面取り縁
６０　環状傾斜表面
６２　端部
【図１】
2004073332.tif 000003
【図２】
2004073332.tif 000004
【図３】
2004073332.tif 000005
【図４】
2004073332.tif 000006
【図５】
2004073332.tif 000007
【図６】
2004073332.tif 000008